(57)【要約】 【課題】各種下地若しくはその上の防水層上に屋上緑化装置、パーゴラ等の構築物を防水性能を損なうことなく必要に応じた自由な位置に簡便強固に設置でき、しかも既存防水層上にさらに新規な防水層を重畳する手法による防水層補修工事を容易にする。【解決手段】下地若しくはこの表面に形成される防水層と、これら下地若しくは防水層上に設けられる構築物固定装置と、前記構築物固定装置を下地若しくは防水層上に固定する固着手段とからなり、前記構築物固定装置は、基板とこの基板に立設される支持体を具え、支持体にはロープ、針金その他を係止するための複数の係合手段を形成した構築物固定構造を実現して、上記の課題を解決する。【選択図】  図１
0003123840.tif 000002
【実用新案登録請求の範囲】
【請求項１】
下地若しくはこの表面に形成される防水層と、これら下地若しくは防水層上に設けられる構築物固定装置と、前記構築物固定装置を下地若しくは防水層上に固定する固着手段とからなり、前記構築物固定装置は、基板とこの基板に立設される支持体を具え、支持体にはロープ、針金その他を係止するための複数の係合手段を形成したことを特徴とする構築物固定構造。
【請求項２】
請求項１記載の構築物固定構造において、前記構築物固定装置の前記支持体は前記基板上に立設され互いの側部において連結される複数の板状体で構成するとともに、前記係合手段は前記板状体に形成される複数の孔部で構成したことを特徴とする構築物固定構造。
【請求項３】
請求項２記載の構築物固定構造において、前記基板上に立設される板状体は一対の各板状体が互いに側部で連結固定されそれぞれの板状体のなす角度が直角となるように設定したことを特徴とする構築物固定構造。
【請求項４】
請求項１ないし３いずれか記載の構築物固定構造において、構築物固定装置を防水層上に固定するための前記固着手段は、基板と防水層との間に介装される接着層であることを特徴とする構築物固定構造。
【請求項５】
下地若しくはその上の防水層上に設けられる各種構築物の固定装置であって、基板とこの基板に立設される支持体を具え、支持体にはロープ、針金その他を係止するための複数の係合手段を形成したことを特徴とする下地またはその上の防水層上における構築物固定装置。
【請求項６】
請求項５記載の構築物固定装置において、前記支持体は前記基板上に立設され互いの側部において連結される複数の板状体で構成するとともに、前記係合手段は前記板状体に形成される複数の孔部で構成したことを特徴とする下地またはその上の防水層上における構築物固定装置。
【請求項７】
請求項６記載の構築物固定装置において、前記基板上に立設される板状体は一対の各板状体が互いに側部で連結固定されそれぞれの板状体のなす角度が直角となるように設定したことを特徴とする構築物固定装置。
【考案の詳細な説明】
【技術分野】
【０００１】
本願考案は、屋上、陸屋根等の下地若しくはその上の防水層上にパーゴラその他の構築物を容易に連結固定できるようにした構築物固定装置ならびにこれを使用した構築物固定構造に関するものである。
【背景技術】
【０００２】
建築物の屋上、陸屋根、バルコニー等に敷設した既存の防水層上になんらかの構築物を安全かつ強固に設置する必要が生じる。例えば、パーゴラ、屋上緑化装置等を既存の防水層上に構築する場合などである。  このような構築物のために、従来は架台と呼ばれる基礎が設けられることが多い。このような架台は安全性の見地から防水層の下地コンクリート等に固定する必要があると考えられてきた。  したがって、従来はこのような架台は防水層の施工前に下地に連結固定したうえで防水層の形成をなすようにして、防水層に手を加えることを回避し防水信頼性を確保するようにしている。
【０００３】
すなわち、防水層の施工後に架台を設置しようとすれば、防水層を通して下地コンクリート等にアンカーボルトを打ち込みこれによって架台を固定しなければならない。ところが、既存防水層を通して下地にアンカーボルト等を打ち込むことは、事実上は非常に困難である。その理由は、従来から既存の防水層にいかなる形態でも孔を穿つことは防水信頼性を損なう惧れから禁忌事項とされているからである。
したがって、従来は防水層上になんらかの構築物固定のための基礎としての架台が必要とされる場合は、防水層の形成前に下地上に設置固定しこれらを含めて防水層を被装する方法がとられている。  このため設置場所の自由性がなく、必要な場所に設置することができなかった。また、既存防水層の上にさらに防水層を張設する手法による防水層補修工事を施工することが困難である。
【０００４】
なお、本願考案と関連する一般的技術として次の文献が開示されている。
【特許文献１】特開２００１−０６５０７９号公報
【考案の開示】
【考案が解決しようとする課題】
【０００５】
本願発明が解決しようとする課題は次の通りである。
（１）各種下地若しくはその上の防水層上に屋上緑化装置、パーゴラ等の構築物を防水性能を損なうことなく必要に応じた自由な位置に簡便強固に設置すること。
（２）既存防水層上にさらに新規な防水層を重畳する手法による防水層補修工事を容易にする。
【課題を解決するための手段】
【０００６】
本願考案は、下地若しくはこの表面に形成される防水層と、これら下地若しくは防水層上に設けられる構築物固定装置と、前記構築物固定装置を下地若しくは防水層上に固定する固着手段とからなり、前記構築物固定装置は、基板とこの基板に立設される支持体を具え、支持体にはロープ、針金その他を係止するための複数の係合手段を形成した構築物固定構造を実現して、上記従来の課題を解決する。
【０００７】
また、上記の構築物固定構造において、前記構築物固定装置の前記支持体は前記基板上に立設され互いの側部において連結される複数の板状体で構成するとともに、前記係合手段は前記板状体に形成される複数の孔部で構成することがある。
【０００８】
さらに、上記の支柱等固定構造において、前記支柱端受け部上に立設される板状体は一対の各板状体が互いに交差するように形成することがある。
【０００９】
またさらに、上記の構築物固定構造において、前記基板上に立設される板状体は一対の各板状体が互いに側部で連結固定されそれぞれの板状体のなす角度を直角となるように設定することがある。
【００１０】
本願考案はまた、上記いずれか記載の構築物固定構造において、固定装置を防水層上に固定するための前記固着手段は、基板と防水層との間に介装される接着層で構成することがある。
【００１１】
また、本願考案は、下地若しくはその上の防水層上に設けられる各種構築物の固定装置であって、基板とこの基板に立設される支持体を具え、支持体にはロープ、針金その他を係止するための複数の係合手段を形成してなる下地またはその上の防水層上における構築物固定装置を提供する。
【００１２】
さらに、上記の構築物固定装置において、前記支持体は前記基板上に立設され互いの側部において連結される複数の板状体で構成するとともに、前記係合手段は前記板状体に形成される複数の孔部で構成することがある。
【００１３】
そして、上記の構築物固定装置において、前記基板上に立設される板状体は一対の各板状体が互いに側部で連結固定されそれぞれの板状体のなす角度が直角となるように設定することがある。
【考案を実施するための最良の形態】
【００１４】
構築物固定装置において、基板は亜鉛メッキ鉄材で構成し、形状は方形が好ましい。  基板に立設される支持体は、1枚の前記亜鉛メッキ鉄材を直角に折り曲げて、基板の隈部端の直角部に固定する。そして、支持体を構成する２枚の板状体が交差する角部の下部には水抜くための穴を形成する。
【００１５】
立設される支持体には係合手段としてのそれぞれ径の異なる孔部を複数形成する。孔部の形成位置はランダムになし、なるべく支持体全面に拡散するように展開する。
【００１６】
支持体に設ける係合手段は前記孔部に替えて、多数の突起を設けてもよく、あるいは板状体の上端縁、側端縁に形成した多数のスリットにより構成することもある。
【００１７】
支柱端受け部の防水層への固定をなす固着手段は、作業性等の見地から両面接着テープによるのが好ましい。
【００１８】
構築部例えば屋上に設置するパーゴラの支柱などの固定は以下のような作業手順を行うことになる。  すなわち、支柱をその側部が２枚の板状体に当接するように基板に載置する。次いで、針金類で支柱を係合手段を介して支持体としての前記２枚の板状体に緊縛固定する。  支柱は、場合により様々な角度を有しているが、係合手段としての孔部は支持体の全面に拡散形成されているから支柱がいかなる角度にあろうともこれを針金等で所望どおり自在に緊縛固定することができる。
【実施例】
【００１９】
図面に基づいて本願考案の１実施例を説明する。  図１は、本願考案に係る構築物固定構造の一実施例を示す一部切欠斜視図である。構築物固定構造Ａは、コンクリート下地１と、この表面に形成される防水層２と、この防水層２上に設けられる構築物固定装置Ｂと、この構築物固定装置Ｂを防水層２上に固定する固着手段としての両面接着テープ３からなり、前記構築物固定装置Ｂは、基板４とこの基板４に立設される支持体としての一対の板状体５、５を具え、支持体としての前記板状体５、５にはロープ、針金その他を係止するための係合手段としての複数の孔部６が形成されている。
【００２０】
この実施例において、支持体を構成する一対の板状体５，５は互いにその側端部を当接固定し両板体のなす角度は９０度に設定されていて、図２に示すように方形に形成される基板４の隈部に固定されている。そして、構築物固定装置Ｂを構成する基板４と支持体としての板状体５とは亜鉛メッキ鉄板により形成されている。
【００２１】
図３は、上記の構築物固定構造Ａにおける、構築物としてのパーゴラPの固定例を示す斜視図である。防水層２上で、パーゴラPの４本の支柱Sに対応する位置に合わせて構築物固定装置B,B、B、Bを設置固定し、各支柱端が一対の板状体５，５で囲繞されるようにセットする。
各支柱Ｓはその下端部が基板４に支持され、支柱Ｓの側部は支持体としての板状体５面に当接されている。  この状態で、支柱Ｓの前記当接部分は係合手段としての孔部６を利用して緊縛・固定されている。  すなわち、支柱Ｓの当接部分には孔部６、６，６を介して針金７が巻回されて強固に固定されている。
【００２２】
図３は、構築物固定装置Ｂの第２実施例を示す斜視図である。この実施例では、基板４の両側端に支持体としての板状体５が形成されている。基板４とその両側端の支持体としての一対の板状体５，５は一体に形成されていて、この実施例では一枚板の亜鉛メッキ鉄板を折り曲げることにより成形されている。
【００２３】
上記実施例では、防水層上に固定装置を設けたが、各種の下地上に直接固定してもよい。
【００２４】
本願に係る構築物固定装置は、既存防水層上の任意の位置に自由に設置できるので屋上等における構築物の配置設定の自由度が大幅に向上し屋上の有効利用が促進される。
さらに、本願考案に係る支柱等固定技術は既存防水層の上にさらに新規な防水層を重設する手法による改修工事にも効果を有する。  すなわち、既存防水層上に新たに補修防水層を全面的に張設する場合、装置を取り外したうえで、新規防水層を張設する。  そして、この新たな既存防水層上にふたたび支柱等固定装置を簡単にしかも高い防水信頼性の下に形成することができる。
【図面の簡単な説明】
【００２５】
【図１】構築物固定構造の一実施例を示す一部切欠斜視図である。
【図２】同上構築物固定装置の平面図である。
【図３】構築部固定装置による構築部の固定の一例を示す斜視図である。
【符号の説明】
【００２６】
Ａ．．．．．．．．．構築物固定構造
Ｂ．．．．．．．．．構築物固定装置
Ｓ．．．．．．．．．支柱
１．．．．．．．．．コンクリート下地
２．．．．．．．．．防水層  
３．．．．．．．．．固定手段（両面接着テープ）
４．．．．．．．．．基板
５．．．．．．．．．支持体（板状体）
６．．．．．．．．．係合手段（孔部）
【図１】
0003123840.tif 000003
【図２】
0003123840.tif 000004
【図３】
0003123840.tif 000005